(57)【特許請求の範囲】
【請求項１】
建屋内での水の浸入を防ぐエリアの枠の開口部に開閉可能に設置されるものであって、
開閉ハンドルと、該開閉ハンドルの回転に連動して移動するカンヌキとを備え、前記ハンドルを閉方向に回転することにより前記カンヌキが移動して前記枠に保持することにより固定され、前記枠の開口部を閉じている状態では、パッキンを前記枠に設けられている扉枠に押し付けることにより水密性を確保している水密扉において、
前記パッキンを前記扉枠に押し付ける方向とは逆方向の水頭圧が掛る水密扉端部側面に、パッキン機能低下防止金具を設置すると共に、該パッキン機能低下防止金具と対向する前記扉枠の面に、前記パッキン機能低下防止金具と噛み合う金具受け枠を設け、かつ、前記パッキン機能低下防止金具は、その先端がＬ字状に形成されており、前記パッキンを前記扉枠に押し付ける方向とは逆方向の水頭圧が掛った場合に、前記パッキン機能低下防止金具のＬ字状の先端部と前記金具受け枠とが噛み合うことを特徴とする水密扉。
【請求項２】
請求項１に記載の水密扉において、
前記開閉ハンドルと前記パッキン機能低下防止金具は、金具開閉連動機構を介して運動可能に連結されていることを特徴とする水密扉。
【発明の詳細な説明】
【技術分野】
【０００１】
本発明は水密扉に係り、特に、建屋内での水の浸入を防ぐエリアに設置され、かつ、指定方向とは逆方向に水頭圧がかかるものに好適な水密扉に関する。
【背景技術】
【０００２】
図４乃至図６に従来の水密扉を示す。該図に示す如く、従来の水密扉１は、建屋内での水の浸入を防ぐエリアのコンクリート枠９の開口部にヒンジ等で開閉可能に設置されている（図４の実線が、コンクリート枠９の開口部を水密扉１で閉じている状態、二点鎖線が、コンクリート枠９の開口部を水密扉１が開放している状態である）。
【０００３】
図４及び図6に示す如く、水密扉１がコンクリート枠９の開口部を閉じている状態では、水密扉１の周囲に設けられているパッキン４を、コンクリート枠９に設けられている扉枠３に押し付けることにより水密性を確保している。
【０００４】
また、水密扉１は開閉ハンドル２と、この開閉ハンドル２の回転に連動して図４及び図6の左右方向に移動するカンヌキ５とを備えており、ハンドル２を閉方向に回転することにより、カンヌキ５が図４及び図6の左方向に移動し、このカンヌキ５の先端を、コンクリート枠９に設けられたカンヌキ受け１０で保持することにより水密扉１が固定され、図６に示す上方向からの水頭圧がかかった場合にも耐えられるようになっている。
【０００５】
一方、上記の状態から水密扉１がコンクリート枠９の開口部を開放する場合には、ハンドル２を開方向に回転することにより、ギア等で回転運動が直線運動に変化してカンヌキ５が図４及び図6の右方向に移動し、カンヌキ５の先端がカンヌキ受け１０から外れることにより、図４の二点鎖線で示すように回転して、コンクリート枠９の開口部を開放するものである。
【０００６】
ところで、上記した水密扉１に、パッキン４を押し付ける方向とは逆方向（図６の水頭圧の方向とは逆方向）の水頭圧がかかった場合には、水密扉１の水密性が低下することが予想され、水密扉１の両方向からの水頭圧に耐えることが必要となる。
【０００７】
このような水密扉の両方向から水頭圧がかかった場合を考慮したものとして特許文献１及び２がある。
【０００８】
この特許文献１及び２には、水密扉において、パッキンに孤状舌片を設けて、逆水頭圧がかかったときに、この孤状舌片を水密壁に押し付けて水密状態を確保することが開示されている。
【先行技術文献】
【特許文献】
【０００９】
【特許文献１】特開２００１−１６４５４２号公報
【特許文献２】実用新案登録第３０５９４０３号公報
【発明の概要】
【発明が解決しようとする課題】
【００１０】
しかしながら、特許文献１及び２に開示されている水密扉は、扉の内部及び外部の両方向から水頭圧がかかった場合を考慮したとしても、その水密状態を確保する開閉構成が複雑であり、扉としての利便性を全く考慮していないものである。
【００１１】
また、既設の水密扉にあっては、内部及び外部の両方向からの水の浸入を防ぐ要求があり、これを達成するためには、既設の水密扉の改造が必要となる。
【００１２】
本発明は上述の点に鑑みなされたもので、その目的とするところは、指定方向とは逆方向に水頭圧がかかった場合でも水密性を確保できることは勿論、扉としての利便性を損なわず容易に開閉でき、しかも、既設設備に対して大幅な改造を加えることなく、指定方向と、これとは逆方向の両方向からの水頭圧に耐え得る水密性能を付加することができる水密扉を提供することにある。
【課題を解決するための手段】
【００１３】
本発明の水密扉は、上記目的を達成するために、建屋内での水の浸入を防ぐエリアの枠の開口部に開閉可能に設置されるものであって、開閉ハンドルと、該開閉ハンドルの回転に連動して移動するカンヌキとを備え、前記ハンドルを閉方向に回転することにより前記カンヌキが移動して前記枠に保持することにより固定され、前記枠の開口部を閉じている状態では、パッキンを前記枠に設けられている扉枠に押し付けることにより水密性を確保している水密扉において、前記パッキンを前記扉枠に押し付ける方向とは逆方向の水頭圧が掛る水密扉端部側面に、パッキン機能低下防止金具を設置すると共に、該パッキン機能低下防止金具と対向する前記扉枠の面に、前記パッキン機能低下防止金具と噛み合う金具受け枠を設け、かつ、前記パッキン機能低下防止金具は、その先端がＬ字状に形成されており、前記パッキンを前記扉枠に押し付ける方向とは逆方向の水頭圧が掛った場合に、前記パッキン機能低下防止金具のＬ字状の先端部と前記金具受け枠とが噛み合うことを特徴とする。
【発明の効果】
【００１４】
本発明によれば、指定方向とは逆方向に水頭圧がかかった場合でも水密性を確保できることは勿論、扉としての利便性を損なわず容易に開閉でき、しかも、既設設備に対して大幅な改造を加えることなく、指定方向と、これとは逆方向の両方向からの水頭圧に耐え得る水密性能を付加することができるので、この種、水密扉には有効である。
【図面の簡単な説明】
【００１５】
【図１】本発明の水密扉の実施例１の取付け状態を示す平面図である。
【図２】本発明の水密扉の実施例１の概略を示す正面図である。
【図３】本発明の水密扉の実施例１を一部拡大して示す閉じた状態の図である。
【図４】従来の水密扉の取付け状態を示す平面図である。
【図５】従来の水密扉の概略を示す正面図である。
【図６】従来の水密扉を一部拡大して示す閉じた状態の図である。
【発明を実施するための形態】
【００１６】
以下、図示した実施例に基づいて本発明の水密扉を説明する。尚、符号は、従来と同一のものは同符号を使用する。
【実施例１】
【００１７】
図１乃至図３に本発明の水密扉の実施例１を示す。該図に示す如く、本実施例の水密扉１も、建屋内での水の浸入を防ぐエリアのコンクリート枠９の開口部にヒンジ等で開閉可能に設置されている（図１の実線が、コンクリート枠９の開口部を水密扉１で閉じている状態、二点鎖線が、コンクリート枠９の開口部を水密扉１が開放している状態である）。
【００１８】
図１及び図３に示す如く、本実施例でも水密扉１がコンクリート枠９の開口部を閉じている状態では、水密扉１の周囲に設けられているパッキン４を、コンクリート枠９に設けられている扉枠３に押し付けることにより水密性を確保している。
【００１９】
また、水密扉１は開閉ハンドル２と、この開閉ハンドル２の回転に連動して図１及び図３の左右方向に移動するカンヌキ５とを備えており、ハンドル２を閉方向に回転することにより、ギア等で回転運動が直線運動に変化してカンヌキ５が図１及び図３の左方向に移動し、このカンヌキ５の先端を、コンクリート枠９に設けられたカンヌキ受け１０で保持することにより水密扉１が固定され、図３に示す上方向からの水頭圧がかかった場合にも耐えられるようになっている。
【００２０】
一方、上記の状態から水密扉１がコンクリート枠９の開口部を開放する場合には、ハンドル２を開方向に回転することにより、カンヌキ５が図１及び図３の右方向に移動し、カンヌキ５の先端がカンヌキ受け１０から外れることにより、図２の二点鎖線で示すように回転して、コンクリート枠９の開口部を開放するものである。
【００２１】
そして、本実施例では、逆方向の水頭圧が掛る水密扉１の端部側面に、先端がL字状に曲がっているパッキン機能低下防止金具６をボルト或いははめ込み等で複数個（本実施例では、図２に示す如く８箇所）取付け、かつ、パッキン機能低下防止金具６と対向する扉枠３の面に、L字状に曲がっているパッキン機能低下防止金具６の先端と噛み合う構造になっている金具受け枠７をボルト或いは接着剤等で取付けた構成となっている。
【００２２】
上述のパッキン機能低下防止金具６のそれぞれは、図２に示す如く、開閉ハンドル２とそれぞれの異なる複数の金具開閉連動機構８を介して連結され、開閉ハンドル２を回転させることにより、それぞれのパッキン機能低下防止金具６のL字状先端部が、金具受け枠７と噛み合ったり、噛み合いが開放したりするようになっている。
【００２３】
このような本実施例の構成とすることにより、指定方向（図３に示す上方向）からの水頭圧がかかった場合には、上述したように、カンヌキ５の先端がコンクリート枠９に設けられたカンヌキ受け１０で保持されることにより、水密扉１が固定され、指定方向から水頭圧がかかった場合にも耐えられるようになっている。
【００２４】
一方、指定方向とは逆方向（図３の下方向）から水頭圧が掛った場合には、それぞれのパッキン機能低下防止金具６のL字状先端部が金具受け枠７と噛み合うことで、水密扉１が開く動きを抑え、パッキン４を押し付ける力が低下することを防止し、指定方向と逆方向から水頭圧がかかった場合にも耐えられるようになっている。
【００２５】
それぞれの異なる複数のパッキン機能低下防止金具６のL字状先端部と金具受け枠７との噛み合いを解く場合には、開閉ハンドル２を開方向に回転させることにより、それぞれの金具開閉連動機構８が開方向に動き、これに伴い各パッキン機能低下防止金具６が上述とは逆方向に回転して、それぞれのパッキン機能低下防止金具６のL字状先端部が金具受け枠７との噛み合いを開放するものである。
【００２６】
このような本実施例の構成とすることにより、指定方向とは逆方向に水頭圧がかかった場合でも水密性が確保できることは勿論、扉としての利便性を損なわず容易に開閉できる。
【００２７】
また、既設の水密扉１に本実施例の構成を布設する場合には、既設の扉枠３に上述した金具受け枠７を追設し、水密扉１に上述したパッキン機能低下防止金具６と金具開閉連動機構８を組込むことにより、既設設備に対して大幅な改造を行うことなく、指定方向と、これとは逆方向の両方向からの水頭圧に耐え得る水密性能を付加することが可能である。
【符号の説明】
【００２８】
１…水密扉、２…開閉ハンドル、３…扉枠、４…パッキン、５…カンヌキ、６…パッキン機能低下防止金具、７…金具受け枠、８…金具開閉連動機構、９…コンクリート枠、１０…カンヌキ受け。
【図１】
0005706356.tif 000002
【図２】
0005706356.tif 000003
【図３】
0005706356.tif 000004
【図４】
0005706356.tif 000005
【図５】
0005706356.tif 000006
【図６】
0005706356.tif 000007